(57)【要約】【課題】  壁面との間に隙間発生をなくして厨房装置の意匠性を向上させると同時に、カウンター割れ等をなくして施工性を向上させ得る厨房装置を提供する。【解決手段】  カウンターと天井との間で天井側にレンジフードが配置され、該レンジフードの背部とカウンターの上面後部との間にパーティションが設置される厨房装置であって、パーティションは、左右幅方向の一端側が壁面固定部材により壁面に支持されると共に上部が固着手段によりレンジフードに支持され、下端部が自重により垂れ下がるようにして設置される。前記パーティションは、左右幅方向の両端部に縦枠部材が設けられ、該縦枠部材の一方が壁面固定部材に嵌合状態でネジ固定されると共に、縦枠部材の上部がレンジフード及び又はレンジフード上部のダクトボックスカバーにネジ固定される。【選択図】  図１
2006055338.tif 000002
【特許請求の範囲】
【請求項１】
カウンターと天井との間で天井側にレンジフードが配置され、該レンジフードの背部とカウンターの上面後部との間にパーティションが設置される厨房装置であって、
前記パーティションは、左右幅方向の一端側が壁面固定部材により壁面に支持されると共に上部が固着手段によりレンジフードに支持され、下端部が自重により垂れ下がるようにして設置されることを特徴とする厨房装置。
【請求項２】
前記パーティションは、左右幅方向の両端部に縦枠部材が設けられ、該縦枠部材の一方が前記壁面固定部材に嵌合状態でネジ固定されると共に、縦枠部材の上部がレンジフード及び又はレンジフード上部のダクトボックスカバーにネジ固定されることを特徴とする請求項１に記載の厨房装置。
【請求項３】
前記壁面固定部材は、壁面に設けた補強桟にネジ固定されることを特徴とする請求項２に記載の厨房装置。
【請求項４】
前記パーティションは、下端部にカウンター上面に当接し得る弾性部材が配設されることを特徴とする請求項１ないし３のいずれかに記載の厨房装置。
【請求項５】
前記パーティションが複数枚のガラスを有し、該ガラスが前記縦枠部材と上下枠部材に着脱可能に配設されていることを特徴とする請求項２ないし４のいずれかに記載の厨房装置。
【請求項６】
前記パーティションは、施工現場で穿設された縦枠部材の取付孔を利用して設置されることを特徴とする請求項１ないし５のいずれかに記載の厨房装置。
【発明の詳細な説明】
【技術分野】
【０００１】
本発明は、例えばシステムキッチン等の厨房装置に係わり、特にレンジフード部分に設置されるパーティション構造に関する。
【背景技術】
【０００２】
一般的に対面型の厨房装置においては、レンジフードのダクトボックスカバーの目隠しや、レンジフードによる換気の効率化あるいはリビング側への油等の飛び跳ね防止の目的で、レンジフードの背部側（リビング側）にパーティションが設置されている。従来、この種の厨房装置としては、例えば特許文献１に開示されている。
【０００３】
この厨房装置１０１は、図７に示すように、上面にカウンター１０３が配置されたベースキャビネット１０２が壁面１０６に当接状態で配置されると共に、カウンター１０３の壁面１０６側にコンロ台１０４が配置され、このコンロ１０４上方にレンジフード１０７が配置されている。そして、カウンター１０３の上面後部と天井１０５に図示しない枠部材を固定し、この枠部材に上部に透視遮蔽部１０８ａが設けられ下部に透視可能部１０８ｂが設けられたパーティション１０８の上下端部をコーキングや接着により固定することにより、レンジフード１０７の背部とカウンター１０３の上面後部との間にパーティション１０８を設置するようにしたものである。
【特許文献１】特開２００３−２６５２４６号公報
【発明の開示】
【発明が解決しようとする課題】
【０００４】
しかしながら、この厨房装置１０１においては、レンジフード１０７と同一幅を有するパーティション１０８の上下端部が、天井１０５とカウンター１０３の上面に固定された枠部材に固定支持される構造であるため、例えばレンジフード１０７の天井１０５に対する取付位置がばらついた場合等に、パーティション１０８の幅方向の壁面側端部と壁面１０６との間に隙間が発生して、厨房装置１０１の意匠性を損なう虞がある。また、カウンター１０３の上面にパーティション１０８を支持する枠部材がネジで固定される構造であるため、人工大理石等のカウンター１０３に枠部材の取付孔を穿設する際に、カウンター割れが発生する虞がある等、パーティション１０８の施工性の面でも劣ることになる。
【０００５】
本発明は、このような事情に鑑みてなされたもので、その目的は、壁面との間に隙間発生をなくして厨房装置の意匠性を向上させると同時に、カウンター割れ等をなくして施工性を向上させ得る厨房装置を提供することにある。
【課題を解決するための手段】
【０００６】
かかる目的を達成すべく、本発明のうち請求項１に記載の発明は、カウンターと天井との間で天井側にレンジフードが配置され、該レンジフードの背部とカウンターの上面後部との間にパーティションが設置される厨房装置であって、前記パーティションは、左右幅方向の一端側が壁面固定部材により壁面に支持されると共に上部が固着手段によりレンジフードに支持され、下端部が自重により垂れ下がるようにして設置されていることを特徴とする。
【０００７】
そして、前記パーティションは、請求項２に記載の発明のように、左右幅方向の両端部に縦枠部材が設けられ、該縦枠部材の一方が前記壁面固定部材に嵌合状態でネジ固定されると共に、縦枠部材の上部がレンジフード及び又はレンジフード上部のダクトボックスカバーにネジ固定されることが好ましい。
【０００８】
また、前記壁面固定部材は、請求項３に記載の発明のように、壁面に設けた補強桟にネジ固定されることが好ましい。また、前記パーティションは、請求項４に記載の発明のように、下端部にカウンター上面に当接し得る弾性部材が配設されていたり、請求項５に記載の発明のように、複数枚のガラスを有し、該ガラスが前記縦枠部材と上下枠部材に着脱可能に配設されていることが好ましい。さらに、前記パーティションは、請求項６に記載の発明のように、施工現場で穿設された縦枠部材の取付孔を利用して設置されることが好ましい。
【発明の効果】
【０００９】
本発明の請求項１に記載の発明によれば、パーティションの左右幅方向の一端側が壁面に壁面固定部材により支持されると共に、上部がレンジフードに固着手段により支持され、下端部が自重により垂れ下がるようにして設置されるため、レンジフードの取付位置にばらつきが発生したり、或いは壁面が垂直でない場合やカウンターの上面が水平でない場合であっても、その壁面側端部と壁面との間の隙間が壁面固定部材で確実に閉塞された状態となり、厨房装置の意匠性を損なうことがないと共に、パーティションの下端をカウンターに固定する必要がなくなって、パーティションの施工を容易に行うことができる。
【００１０】
また、請求項２に記載の発明によれば、請求項１に記載の発明の効果に加え、パーティションの左右幅方向の両端部に設けた縦枠部材の一方が壁面固定部材に嵌合状態でネジ固定され、縦枠部材の上部がレンジフード及び又はレンジフード上部のダクトボックスカバーにネジ固定されるため、パーティションの壁面やレンジフード等への固定強度を高めることができて、パーティションの安定した設置状態を容易に得ることができる。
【００１１】
また、請求項３に記載の発明によれば、請求項２に記載の発明の効果に加え、壁面固定部材が壁面に設けた補強桟にネジ固定されるため、壁面の剛性が弱い場合であっても壁面固定部材を壁面に確実に固定できて、パーティションに一層安定した設置状態を得ることができる。
【００１２】
また、請求項４に記載の発明によれば、請求項１ないし３に記載の発明の効果に加え、パーティションの下端部にカウンター上面に当接し得る弾性部材が配設されているため、弾性部材でパーティションの下端部とカウンター上面との間の隙間発生を防止できて、厨房装置の意匠性を一層向上させることができる。
【００１３】
また、請求項５に記載の発明によれば、請求項２ないし４に記載の発明の効果に加え、パーティションが複数枚のガラスを有し、このガラスが縦枠部材と上下枠部材に着脱可能に配設されているため、所定形態のガラスを着脱使用できて、使用者の要望に応じた形態のパーティションを容易に設置することができる。
【００１４】
さらに、請求項６に記載の発明によれば、請求項１ないし５に記載の発明の効果に加え、パーティションが施工現場で穿設された縦枠部材の取付孔を利用して設置されるため、レンジフードやベースキャビネット等の施工ばらつきに的確に対応できて、パーティションの施工性を一層向上させることができる。
【発明を実施するための最良の形態】
【００１５】
以下、本発明の実施の形態を図面に基づいて詳細に説明する。
図１〜図５は、本発明に係わる厨房装置の一実施形態を示し、図１がパーティション部分の斜視図、図２がそのキッチン側から見た正面図、図３が縦断面図、図４が縦枠部材と壁面固定部材の分解斜視図、図５がパーティションの取付方法の説明図である。
【００１６】
図１〜図３に示すように、厨房装置１は、キッチン側とリビング側に扉２ａが開閉可能に設けられ、左右幅方向の一端部が壁面６に当接状態で配置されたベースキャビネット２を有し、このベースキャビネット２の上面には人工大理石等で形成されたカウンター３が配置されると共に、このカウンター３の壁面６側にはコンロ台４が配置されている。また、コンロ台４の上方の天井５と壁面６とのコーナ部分には、ケース８ａ内にファン８ｂやフィルター８ｃ等が内蔵されたフード本体８と、このフード本体８の上部に引き出されたダクト９ａを覆うダクトボックスカバー９等からなるレンジフード７が取り付けられている。
【００１７】
そして、このレンジフード７のリビング側となる背部７ａ側で、天井５とカウンター３の上面３ａとの間にはパーティション１０が設置されている。このパーティション１０は、左右幅方向両端部の縦枠部材１０ａ、１０ｂと上枠部材１０ｃ及び下枠部材１０ｄとで外形形状が方形状に形成され、各枠部材１０ａ〜１０ｄの内側には上下２枚のガラス１０ｅ、１０ｆが連結材１０ｇを介して後述する如く着脱可能に嵌め込まれている。
【００１８】
このパーティション１０の各枠部材１０ａ〜１０ｄは、例えば図４に示すように、アルミニウム等の押し出し成形によって略同一形状（図４では縦枠部材１０ａのみを示す）に形成され、内周面側にガラス嵌挿溝１１が各枠部材１０ａ〜１０ｄの略全長に亘って設けられている。また、各枠部材１０ａ〜１０ｄの外周面側には、後述する壁面固定部材１２の嵌合凸条１２ａが嵌合する嵌合溝１３が内周方向に向けて設けられると共に、壁面固定部材１２の厚さ方向の外側に嵌合する一対の嵌合凸条１４ａ、１４ｂが外周方向に向けて設けられている。
【００１９】
なお、パーティション１０は、その左右幅寸法がレンジフード７の左右幅寸法と略同一で、その高さ寸法がカウンター３の上面３ａと天井５との間隔寸法に略対応するように設定されている。また、パーティション１０の上下のガラス１０ｅ、１０ｆとしては、各枠部材１０ａ〜１０ｄに着脱可能に配設されることで、透明ガラスかもしくは磨りガラス等の半透明ガラスが適宜に選択して使用されるようになっている。
【００２０】
そして、このように形成されたパーティション１０は、図１及び図２に示すように、左右の縦枠部材１０ａ、１０ｂのうち壁面６側の縦枠部材１０ａが壁面固定部材１２を介して壁面６に固定され、左右の縦枠部材１０ａ、１０ｂの上部がレンジフード７の背部７ａ側に取付ネジ１５によって固定されることで厨房に設置される。以下、このパーティション１０の取付（設置）方法の一例を、図４及び図５等を参照して説明する。
【００２１】
先ず、右側の縦枠部材１０ａと上枠部材１０ｃ及び下枠部材１０ｄを組み立てて各枠部材１０ａ、１０ｃ、１０ｄのガラス嵌挿溝１１に、その開放側（縦枠部材１０ｂ側）から上下のガラス１０ｅ、１０ｆを嵌挿させると共に、両ガラス１０ｅ、１０ｆの接合部に連結材１０ｇを介装させる。そして、２枚のガラス１０ｅ、１０ｆを各枠部材１０ａ、１０ｃ、１０ｄのガラス嵌合溝１１に嵌合したら、この状態で縦枠部材１０ｂを上枠部材１０ｃ及び下枠部材１０ｄに連結し、下枠部材１０ｄに弾性部材としての両面テープ付きのパッキン１６（図３参照）の一方の面を貼着する。これによりパーティション１０が組み立てられ、このパーティション１０の組み立ては、厨房装置１の製造工場で行うこともできるし、予め部品を厨房装置１と同時梱包することで、施工現場で組み立てることも勿論可能である。
【００２２】
次に、組み立てられたパーティション１０が準備できたら、図５（ａ）に示すように、壁面固定部材１２を壁面６の所定位置に例えば複数本のタッピングネジ等の取付ネジ１５で固定する。この時、壁面固定部材１２は、その幅方向の端縁の上部がレンジフード７の背部７ａの壁面６側端部に略当接する状態で下方に向けて垂直状態で取り付けられる。次に、壁面６に壁面固定部材１２を取り付けたら、図５（ｂ）の矢印イに示すように、パーティション１０をカウンター３上で壁面６方向に移動させ、縦枠部材１０ａの嵌合溝１３に壁面固定部材１２の嵌合凸条１２ａを嵌合させると共に、縦枠部材１０ａの嵌合凸条１４ａ、１４ｂを壁面固定部材１２の外面側に嵌合（図４参照）させて、パーティション１０を壁面固定部材１２に仮取付する。
【００２３】
パーティション１０を仮取付したら、下枠部材１０ｄに貼付されているパッキン１６の両面テープのセパレータ（図示せず）を剥がし、その両面テープの一方の面をカウンター３の上面３ａの所定位置に接着する。この時、パーティション１０の両端下部に例えば図示しないスペーサ等をかませておくことにより、セパレータの剥がしが容易に行えると共に、カウンター３の設置位置への収めが容易に行えることになる。この両面テープによるパッキン１６のカウンター３への接着でパーティション１０がカウンター３の上面３ａの所定設置に配置され、この状態で図４に示すように、縦枠部材１０ａと壁面固定部材１２とを取付ネジ１５で固定する。
【００２４】
この縦枠部材１０ａと壁面固定部材１２の固定は、パーティション１０を仮取付した状態で、上下方向の複数個所に穿設した取付孔１７から取付ネジ１５をねじ込むことにより、縦枠部材１０ａの嵌合溝１３とこの嵌合溝１３に嵌合している壁面固定部材１２の嵌合凸条１２ａとを固定することによって行われる。そして、この取付ネジ１５の取付後に、縦枠部材１０ａに設けられ外面側に開口している取付孔１７に樹脂製のキャップ１８を嵌め込んで被せることにより、図４（ｂ）に示すように、パーティション１０が壁面６の所定位置に壁面固定部材１２によって固定されることになる。
【００２５】
パーティション１０が壁面６に固定されたら、次に、図５（ｃ）に示すように、パーティション１０の両縦枠部材１０ａ、１０ｂの上部を、前記取付孔１７と同様の取付孔と取付ネジ１５を利用してレンジフード７のダクトボックスカバー９に固定すると共に、取付孔にキャップ１８を被せる。また、レンジフード７のフード本体８側から、パーティション１０の両縦枠部材１０ａ、１０ｂに取付ネジ１５をねじ込むことにより、フード本体８とパーティション１０の両縦枠部材１０ａ、１０ｂの上部を固定する。これにより、パーティション１０の両縦枠部材１０ａ、１０ｂの上部がレンジフード７に複数本の取付ネジ１５で固定されることになる。
【００２６】
そして、パーティション１０の縦枠部材１０ａ、１０ｂが壁面固定部材１２で壁面６に固定され、両縦枠部材１０ａ、１０ｂの上部がレンジフード７に取付ネジ１５で固定されたら、図２及び図４（ｂ）に示す縦枠部材１０ａ、１０ｂ（壁面固定部材１２）と壁面６との接合部等をコーキング剤１９でコーキングすることにより、パーティション１０の設置作業が完了する。この設置状態において、パーティション１０は、方形状の一辺である縦枠部材１０ａが壁面６に略面接触状態で支持されて、壁面６との間の隙間発生が確実に防止されると共に、幅方向の両縦枠部材１０ａ、１０ｂの上部がレンジフード７に複数本の取付ネジ１５で支持され、下端部は略フリーな状態となって下方に垂直に垂れ下がり、パッキン１６でカウンター３の上面３ａ上に軽く支持された状態となる。
【００２７】
ところで、以上の設置方法では、壁面６が比較的剛性を有する場合に好適であるが、例えば壁面６の剛性が十分に得られない場合は、図６に示すように設置される。すなわち、壁面６が例えば１２ｍｍ以下の板厚の不燃ボード６ａ等で十分なネジ締付強度が得られない場合、壁面固定部材１２の取付位置の裏面側に板厚が１２ｍｍ以上の合板または松・檜等の木材からなる補強桟２０を固定し、この補強桟２０に不燃ボード６ａの表面側から取付ネジ１５をねじ込んで壁面固定部材１２を壁面６に固定する。この補強桟２０により壁面固定部材１２を所定強度で不燃ボード６ａに固定できて、前記壁面６と同様にパーティション１０が所定状態で設置されることになる。
【００２８】
なお、以上の取付方法において、例えば各枠部材１０ａ〜１０ｃに穿設される取付孔１７は、施工現場の設置ばらつき等に的確に対応するため、施工現場で寸法測定した後か仮取付した後に穿設することが好ましいが、予め製造工場の出荷段階で所定位置に穿設することも勿論可能である。また、取付ネジ１５としてタッピングネジ等を使用し、この取付ネジ１５をレンジフード７に直接ねじ込んだり、レンジフード７に予め所定のネジやネジ孔を設けるようにしても良い。 
【００２９】
このように、上記実施形態の厨房装置１にあっては、レンジフード７の背部７ａ側に設置されるパーティション１０の幅方向の一端側が、壁面６に壁面固定部材１２により固定支持され、上部がレンジフード７に複数の取付ネジ１５により固定支持されるため、レンジフード７等の取付位置にばらつきが発生しても、その壁面側端部に設けられた縦枠部材１０ａと壁面６との間の隙間を壁面固定部材１２で確実に閉塞することができて、パーティション１０の設置部分の意匠性を損なうこと等がなくなり、厨房装置１の意匠性の向上を図ることができる。
【００３０】
また、パーティション１０の下端部が単に垂れ下がった状態で設置されると共に、下端部にカウンター３の上面３ａに当接し得る両面テープ付きのパッキン１６が配設されているため、従来のようにカウンター３にパーティション固定用の枠部材を固定する必要がなくなり、カウンター３への孔加工が不要となってカウンター割れ等をなくすことができる等、パーティション１０の施工を簡単に行うことができる。
【００３１】
また同時に、パッキン１６として両面テープ付きを使用すると共に、設置時にスペーサ等を使用することにより、パッキン１６自体の下枠部材１０ｄへの貼付作業やセパレータの剥がし作業等を容易に行うことができると共に、パッキン１６でパーティション１０の下端部とカウンター３の上面３ａとの間の隙間発生を防止できて、厨房装置１の意匠性を一層向上させることができる。また、パーティション１０の縦枠部材１０ａと壁面６の壁面固定部材１２との間にコーキング剤１９がコーキングされるため、両者間の隙間発生と気密性を確保できて、例えばキッチンからの煙等のリビングへの漏れも防止することができる。
【００３２】
さらに、パーティション１０の幅方向の両端部に固定された一方の縦枠部材１０ａの嵌合溝１３に、壁面固定部材１２の嵌合凸条１２ａが嵌合状態とされて取付ネジ１５で固定されると共に、両縦枠部材１０ａ、１０ｂの上部がレンジフード７のフード本体８やダクトボックスカバー９に取付ネジ１５で固定されるため、パーティション１０の壁面６やレンジフード７等への固定強度を十分に確保できて、パーティション１０の安定した設置状態を容易に得ることができる。また、壁面６に取付ネジ１５による十分な締め付け強度が得られない場合には、壁面６の裏面側に補強桟２０を設けることにより、壁面固定部材１２を壁面６に強固に固定できて、パーティション１０の安定した設置状態を容易に得ることもできる。
【００３３】
また、パーティション１０が上下に分割状態の２枚のガラス１０ｅ、１０ｆを有し、このガラス１０ｅ、１０ｆが一方の縦枠部材１０ｂを取り外すことで着脱可能に配設されているため、所定形態のガラス１０ｅ、１０ｆを着脱使用できて、使用者の要望に応じた形態（色調等）のパーティション１０を容易に設置することができる。その結果、厨房装置１の使い勝手を向上させる等、その付加価値を高めることが可能となる。
【００３４】
さらに、パーティション１０を例えば施工現場で穿設した縦枠部材１０ａ、１０ｂの取付孔１７を利用して設置できるため、レンジフード７やベースキャビネット２等の施工ばらつきに的確に対応することができて、パーティション１０（厨房装置１）の施工性を一層向上させ施工コストの低減化を図ることができる。また、４つの枠部材１０ａ〜１０ｄを同一形状に形成しているため、部材の共通化が図れて部材コストを低減させることができる等、安価で意匠性に優れた厨房装置１を提供することが可能となる。
【００３５】
なお、上記実施形態においては、パーティション１０の４つの枠部材１０ａ〜１０ｄをすべて略同一形状に形成したが、本発明はこれに限定されず、例えば下枠部材１０ｄ等を図３に拡大して示す形状に形成したり、一方の縦枠部材１０ｂと上枠部材１０ｃ及び下枠部材１０ｄの外面側を平坦に形成して、外部に露出する枠部材１０ｂの意匠性を高めたり、あるいは天井５やカウンター３の上面３ａとの間の気密性を高めるようにしても良い。また、上記実施形態においては、パーティション１０に２枚のガラス１０ｅ、１０ｆを使用したが、例えば１枚あるいは３枚以上のガラスを使用しても良いし、複数枚のガラスを横方向ではなく縦方向に連接させる構成としても良い。
【００３６】
さらに、上記実施形態においては、パッキン１６を下枠部材１０ｄとカウンター３との間に配置したが、例えば上枠部材１０ｃと天井５との間にもパッキン１６を配置しても良いし、上記実施形態における、壁面固定部材１２の形状、ベースキャビネット２の構成、レンジフード７の形態等も一例であって、例えば図６に示すように壁面固定部材１２にパーティション１０の嵌合凸条が嵌合し得る嵌合溝２１を設ける等、本発明に係わる各発明の要旨を逸脱しない範囲において適宜の構成を採用することができる。
【産業上の利用可能性】
【００３７】
本発明は、ガラスで形成されたパーティションに限らず、例えばカラー塗装や模様が施された各種化粧板を使用したパーティションにも適用できる。
【図面の簡単な説明】
【００３８】
【図１】本発明に係わる厨房装置の一実施形態を示すパーティション部分の斜視図
【図２】同そのキッチン側から見た正面図
【図３】同縦断面図
【図４】同縦枠部材と壁面固定部材の分解斜視図
【図５】同パーティションの取付方法の説明図
【図６】同壁面固定部材の固定方法の変形例を示す説明図
【図７】従来の厨房装置の斜視図
【符号の説明】
【００３９】
１・・・厨房装置、２・・・ベースキャビネット、３・・・カウンター、３ａ・・・上面、４・・・コンロ台、５・・・天井、６・・・壁面、６ａ・・・不燃ボード、７・・・レンジフード、７ａ・・・背部、８・・・フード本体、９・・・ダクトボックスカバー、１０・・・パーティション、１０ａ、１０ｂ・・・縦枠部材、１０ｃ・・・上枠部材、１０ｄ・・・下枠部材、１０ｅ、１０ｆ・・・ガラス、１０ｇ・・・連結材、１１・・・ガラス嵌挿溝、１２・・・壁面固定部材、１２ａ・・・嵌合凸条、１３・・・嵌合溝、１４ａ、１４ｂ・・・嵌合凸条、１５・・・取付ネジ、１６・・・パッキン、１７・・・取付孔、１８・・・キャップ、１９・・・コーキング剤、２０・・・補強桟。
【図１】
2006055338.tif 000003
【図２】
2006055338.tif 000004
【図３】
2006055338.tif 000005
【図４】
2006055338.tif 000006
【図５】
2006055338.tif 000007
【図６】
2006055338.tif 000008
【図７】
2006055338.tif 000009